(57)【要約】【課題】より簡便な構成で、全体を均一な温度に制御することが可能な液晶表示装置を提供すること。【解決手段】本発明にかかる液晶表示装置は、ＴＦＴアレイ基板４０と、対向基板１０と、ＴＦＴアレイ基板４０又は対向基板１０上に形成され、表示領域５１内において一定の間隔で平行に設けられた複数の並列部１５ａと、表示領域５１の周辺で複数の並列部１５ａの一方の端部と他方の端部とをそれぞれ収束するように形成された収束部１５ｂとを有するヒーター電極１５と、表示領域５１の互いに対角となる角部近傍に設けられ、ＴＦＴアレイ基板４０の入力端子よりヒーター電極１５に電力を供給するために接続される入力点及び出力点と、を備えるものである。【選択図】図１
2010281961.tif 000002
【特許請求の範囲】
【請求項１】
信号或いは電力を入力する入力端子、及び画素電極を有するアレイ基板と、
前記アレイ基板に対向配置された対向基板と、
前記アレイ基板又は前記対向基板上に形成され、表示領域内において一定の間隔で平行に設けられた複数の並列部と、前記表示領域の周辺で前記複数の並列部の一方の端部と他方の端部とをそれぞれ収束するように形成された収束部とを有するヒーター電極と、
前記表示領域の互いに対角となる角部近傍に設けられ、前記入力端子より前記ヒーター電極に電力を供給するために接続される入力点及び出力点と、を備える液晶表示装置。
【請求項２】
前記入力点及び前記出力点は、前記収束部の端部に設けられている請求項１に記載の液晶表示装置。
【請求項３】
前記複数の並列部のそれぞれは、同じ形状を有する請求項１又は２に記載の液晶表示装置。
【請求項４】
前記複数の並列部と、前記収束部とが、同じ導電膜によって一体的に形成されている請求項１乃至３のいずれか１項に記載の液晶表示装置。
【請求項５】
前記収束部は、前記並列部よりも幅広に形成されている請求項１乃至４のいずれか１項に記載の液晶表示装置。
【請求項６】
前記対向基板上に形成された絶縁性を有する絶縁性ＢＭをさらに備え、
前記ヒーター電極が透明導電膜によって形成され、
少なくとも前記複数の並列部が前記絶縁性ＢＭと重複するように形成されている請求項１乃至５のいずれか１項に記載の液晶表示装置。
【請求項７】
前記ヒーター電極が、導電性を有する導電性ＢＭによって前記対向電極上に形成され、ヒーター電極としての機能に加え、光を遮光する遮光膜としての機能を備える１乃至５のいずれか１項に記載の液晶表示装置。
【請求項８】
前記アレイ基板上に形成され、互い交差するよう設けられたゲート配線とソース配線とをさらに備え、
前記並列部が、前記ゲート配線と前記ソース配線の一方の対面に配置されている請求項７に記載の液晶表示装置。
【請求項９】
前記対向基板上に形成された着色層をさらに備え、
２つ以上の前記着色層が積層形成された重なり部分が、前記ゲート配線と前記ソース配線の他方の対面に配置されている請求項８に記載の液晶表示装置。
【請求項１０】
前記対向基板上に形成された絶縁性を有する絶縁性ＢＭをさらに備え、
前記絶縁性ＢＭが、前記ゲート配線と前記ソース配線の他方の対面に配置されている請求項８に記載の液晶表示装置。
【請求項１１】
前記ヒーター電極は、前記表示領域を囲む額縁領域のうち、前記複数の並列部の両外側部分に、前記並列部よりも幅広に形成された周辺額縁部をさらに有し、
前記周辺額縁部の少なくとも一方の端部が前記収束部と離間されるよう、前記周辺額縁部と前記収束部との間にスリットが形成されている請求項７乃至１０のいずれか１項に記載の液晶表示装置。
【請求項１２】
前記スリットが、前記対向基板側に設けられた２つ以上の着色層が積層形成された重なり部分、又は前記アレイ基板側に設けられた遮光膜によって遮光される請求項１１に記載の液晶表示装置。
【請求項１３】
前記複数の並列部が、前記表示領域内の前記並列部と平行に、前記表示領域内よりも狭い間隔で、前記表示領域を囲む額縁領域にさらに設けられている請求項７乃至１０のいずれか１項に記載の液晶表示装置。
【請求項１４】
前記額縁領域において、隣接する前記並列部間は、前記対向基板側に設けられた２つ以上の着色層が積層形成された重なり部分、又は前記アレイ基板側に設けられた遮光膜によって遮光される請求項１３に記載の液晶表示装置。
【請求項１５】
前記対向電極上に設けられた前記ヒーター電極上に絶縁層を介して形成され、前記画素電極に対向配置される対向電極と、
前記対向電極に共通電位を供給するための対向電極用トランスファ部と、
前記対向電極用トランスファ部において、前記対向電極と前記アレイ基板とに接続するよう形成された対向電極用導電層と、
前記入力点又は前記出力点となるヒーター電極用トランスファ部において、前記ヒーター電極と前記アレイ基板とに接続するよう形成されたヒーター電極用導電層と、をさらに備え、
前記対向電極用導電層と前記ヒーター電極用導電層とが、同じ導電材料によって形成されている請求項１乃至１４のいずれか１項に記載の液晶表示装置。
【発明の詳細な説明】
【技術分野】
【０００１】
本発明は、液晶表示装置に関し、特に詳しくは低温環境下において良好な表示を行うための温度調整機能を備えた液晶表示装置に関する。
【背景技術】
【０００２】
現在、表示装置は、人と機械とをつなぐインターフェースとして広く使用され、目ざましい進展を果たしている。例えば、カーナビゲーションシステムに用いられる車載用表示装置は、道路地図の表示やＴＶ放送の受信画像の表示など、さまざまな目的に用いられる。この車載用表示装置としては、薄型・軽量・低消費電力という利点を有することから、液晶表示装置が広く用いられている。
【０００３】
車載用表示装置は、動作環境が厳しく、低温環境下や高温環境下での使用に耐えることが要求される。しかし、液晶表示装置の表示材料として用いられる液晶は、温度が低くなると粘性が高くなり、応答速度が極端に遅くなる。したがって、低温環境下で液晶表示装置を使用すると、表示すべき画像の動きに液晶が追随せず、表示性能が低下するという問題があった。このような問題に対して、従来から、ヒーターを用いた加熱方法がいくつか提案されている。例えば、特許文献１、２には、液晶表示パネルにヒーター電極を形成し、このヒーター電極に電流を流すことによって液晶パネルの内部の温度を上昇させる液晶表示装置が開示されている。
【先行技術文献】
【特許文献】
【０００４】
【特許文献１】特開２００５−１２２１９０号公報
【特許文献２】特開平５−１７４１５３号公報
【発明の概要】
【発明が解決しようとする課題】
【０００５】
しかしながら、特許文献１では、ヒーター電極を表示領域全体にベタ状に形成している。そのため、ヒーター電極に電力供給を行うために設けられた複数の電力供給点のうち、電位差が発生する２点間は低抵抗となる。そして、この低抵抗となる経路に大部分の電流が流れ、その経路がヒーターとして機能する。一方、高抵抗となる経路には電流があまり流れず、ヒーターとして機能しにくくなる。その結果、ヒーターによる加熱に面内分布が発生し、表示領域全体を温めるのに時間がかかるといった問題があった。
【０００６】
また、特許文献２では、短冊状のヒーター電極を表示領域の複数の加熱領域に分割して形成している。そのため、ヒーター電極に電力供給を行うための電力供給配線を、それぞれの加熱領域に対応して複数設けたり、加熱領域毎に電力供給の電位を制御したりする必要があり、構造が複雑となる。さらに、ヒーター電極の終端を、加熱領域毎に、ヒーター電極とは異なる金属からなる金属電極端子により連結しているため、製造プロセスが複雑となる。これらのことから、製造コストが上昇するといった問題があった。
【０００７】
本発明は、上記のような問題点を解決するためになされたものであり、より簡便な構成で、全体を均一な温度に制御することが可能な液晶表示装置を提供することを目的とする。
【課題を解決するための手段】
【０００８】
本発明にかかる液晶表示装置は、信号或いは電力を入力する入力端子、及び画素電極を有するアレイ基板と、前記アレイ基板に対向配置された対向基板と、前記アレイ基板又は前記対向基板上に形成され、表示領域内において一定の間隔で平行に設けられた複数の並列部と、前記表示領域の周辺で前記複数の並列部の一方の端部と他方の端部とをそれぞれ収束するように形成された収束部とを有するヒーター電極と、前記表示領域の互いに対角となる角部近傍に設けられ、前記入力端子より前記ヒーター電極に電力を供給するために接続される入力点及び出力点と、を備えるものである。
【発明の効果】
【０００９】
本発明によれば、より簡便な構成で、全体を均一な温度に制御することが可能な液晶表示装置を提供することができる。
【図面の簡単な説明】
【００１０】
【図１】実施の形態１に係る液晶表示装置に用いられる液晶表示パネルの構成を概略的に示す平面図である。
【図２】図１のII−II断面図である。
【図３】実施の形態１に係るヒーター電極の電気抵抗値について説明するための図である。
【図４】実施の形態２に係る液晶表示装置に用いられる液晶表示パネルの構成を概略的に示す平面図である。
【図５】図４のV−V断面図である。
【図６】実施の形態２の別の実施例に係る液晶表示パネルの構成を概略的に示す断面図である。
【図７】実施の形態３に係る液晶表示装置に用いられる液晶表示パネルの構成を概略的に示す平面図である。
【発明を実施するための形態】
【００１１】
以下、図面を参照して本発明の実施の形態について説明する。説明の明確化のため、以下の記載及び図面は、適宜、省略及び簡略化がなされている。また、説明の明確化のため、必要に応じて重複説明は省略されている。尚、各図において同一の符号を付されたものは同様の要素を示しており、適宜、説明が省略されている。
【００１２】
実施の形態１．
本実施の形態１に係る液晶表示装置について、図１及び図２を用いて説明する。図１は、実施の形態１に係る液晶表示装置に用いられる液晶表示パネル１００の構成を概略的に示す平面図である。図２は、図１のII−II断面図である。本実施の形態１に係る液晶表示装置は、ＴＦＴ（Thin Film Transistor：ＴＦＴ）を有するアクティブマトリクス型液晶表示装置を例として説明するが、ＴＦＴ以外のスイッチング素子を用いてもよい。なお、図２では、左側に、ヒーター電極用トランスファ部を含む端部の断面、中央に、表示領域内の画素部の断面、右側に、対向電極用トランスファ部を含む端部の断面がそれぞれ示されている。
【００１３】
図１及び図２において、本実施の形態１に係る液晶表示装置は、液晶表示パネル１００を備えている。液晶表示パネル１００は、ＴＦＴアレイ基板４０と、対向基板１０とが互いに対向して配置されている。
【００１４】
ＴＦＴアレイ基板４０には、図示しない複数のゲート配線（走査信号線）と複数のソース配線（映像信号線）とが形成されている。複数のゲート配線は平行に設けられている。同様に、複数のソース配線は平行に設けられている。ゲート配線とソース配線とは、絶縁膜を介して互いに交差するように形成されている。例えば、ゲート配線とソース配線とは直交している。また、例えば、ここでは、矩形状の表示領域５１の長手方向に沿ってゲート配線が形成され、短手方向に沿ってソース配線が形成されている。隣接するゲート配線とソース配線とで囲まれた領域が画素となる。そして、これら複数の画素がマトリクス状に配列されている領域が表示領域５１である。表示領域５１の外側には額縁領域５２が配置されている。額縁領域５２は、矩形状の表示領域５１を囲むように配置される。すなわち、額縁領域５２は、額縁状に形成されている。
【００１５】
ＴＦＴアレイ基板４０の額縁領域５２には、図示しない走査信号駆動回路（ゲートドライバー）と表示信号駆動回路（ソースドライバー）とが設けられている。ゲート配線は、表示領域５１から額縁領域５２まで延設され、ＴＦＴアレイ基板４０の端部で、走査信号駆動回路に接続される。ソース配線も同様に、表示領域５１から額縁領域５２まで延設され、ＴＦＴアレイ基板４０の端部で、表示信号駆動回路と接続される。走査信号駆動回路と表示信号駆動回路との近傍には、図示しない外部配線が接続されている。これら外部配線は、例えば、ＦＰＣ（Flexible Printed Circuit）等の配線基板である。
【００１６】
これら外部配線がＴＦＴアレイ基板４０の端部に設けられた図示しない入力端子に接続され、外部配線及び入力端子を介して走査信号駆動回路、及び表示信号駆動回路に、外部からの各種信号が供給される。走査信号駆動回路は外部からの制御信号に基づいて、走査信号をゲート配線に供給する。このゲート信号によって、ゲート配線が順次選択されていく。表示信号駆動回路は外部からの制御信号や、表示データに基づいて表示信号をソース配線に供給する。これにより、表示データに応じた表示電圧を各画素に供給することができる。
【００１７】
画素内には、少なくとも１つのＴＦＴが形成されている。ＴＦＴはソース配線とゲート配線の交差点近傍に配置される。ＴＦＴのゲート電極がゲート配線に、ソース電極がソース配線に、ドレイン電極が画素電極にそれぞれ接続される。例えば、このＴＦＴが画素電極に表示電圧を供給する。即ち、ゲート配線からのゲート信号によって、スイッチング素子であるＴＦＴがオンする。これにより、ソース配線から、ＴＦＴのドレイン電極に接続された画素電極に表示電圧が印加される。画素電極と対向電極との間には、表示電圧に応じた電界が生じる。画素電極は、ゲート配線とソース配線とによって囲まれた画素の略全域に形成されている。従って、画素電極は、表示領域５１内にアレイ状に配列されている。なお、ＴＦＴアレイ基板４０の表面には、所定の方向に配向された配向膜が形成されている。
【００１８】
ＴＦＴアレイ基板４０には、対向基板１０が対向して配置されている。対向基板１０は、例えば、カラーフィルタ基板であり、視認側に配置される。対向基板１０には、ガラス等の透明な絶縁性の基板１１上に、ブラックマトリクス（Black Matrix：ＢＭ）１２、着色層１３、対向電極１６、及び配向膜等が形成されている。また、本実施の形態１では、液晶３０の温度調整を行うためのヒーター電極１５が対向基板１０に形成されている。
【００１９】
具体的には、図２に示すように、対向基板１０は、基板１１のＴＦＴアレイ基板４０と対向する面上に、ヒーター電極１５が設けられている。ヒーター電極１５は、ＩＴＯ（Indium Tin Oxide）などの透明導電膜によって形成されている。このヒーター電極１５の詳細な構成については後述する。
【００２０】
そして、ヒーター電極１５の上には、光を遮光するＢＭ１２が形成されている。ＢＭ１２は、表示領域５１において、例えば各画素を囲うよう格子状に配設されている。また、ＢＭ１２は、額縁領域５２において、表示領域５１を囲うよう枠状に設けられている。本実施の形態１では、このＢＭ１２は、黒色着色剤を含む樹脂材料である樹脂ＢＭによって形成されており、絶縁性を有する。
【００２１】
ＢＭ１２上には、顔料あるいは染料からなる着色層１３が形成されている。着色層１３は、例えばＲ（赤）、Ｇ（緑）、Ｂ（青）のカラーフィルタである。表示領域５１では、ＢＭ１２で囲まれた領域を埋めるように着色層１３が形成されている。
【００２２】
ＢＭ１２及び着色層１３を覆うように、ＩＴＯなどの透明導電膜からなる対向電極１６が形成されている。対向電極１６は、表示領域５１の全域に亘って設けられ、画素電極と対向配置されている。例えば、上面視で表示領域５１を内包するように、矩形状の対向電極１６が形成されている。対向電極１６は、ヒーター電極１５上に、ＢＭ１２と着色層１３とを含む絶縁層を挟んで配設されているので、ヒーター電極１５と電気的に絶縁される。なお、対向基板１０の表面には、所定の方向に配向された配向膜が形成されている。
【００２３】
ＴＦＴアレイ基板４０と対向基板１０とは、図示しないシール材を介して貼り合わされている。シール材は、表示領域５１を囲むよう枠状に形成されている。そして、ＴＦＴアレイ基板４０と対向基板１０との間には液晶層が狭持される。即ち、ＴＦＴアレイ基板４０と対向基板１０とシール材とで形成される空間には、液晶３０が封入されている。液晶３０は、ＴＦＴアレイ基板４０及び対向基板１０に設けられた配向膜によって所定の方向に配向されている。更に、ＴＦＴアレイ基板４０と対向基板１０との外側の面には、偏光板、及び位相差板等が設けられる。また、液晶表示パネル１００の反視認側には、バックライトユニット等が配設される。さらに、液晶表示パネル１００は、液晶３０の温度を感知するためのセンサ、及びこのセンサが感知した温度に基づいてヒーター電極１５に電流を流すための制御回路等を備えていてもよい。
【００２４】
画素電極と対向電極１６との間の電界によって、液晶３０が駆動される。即ち、基板間の液晶３０の配向方向が変化する。これにより、液晶層を通過する光の偏光状態が変化する。即ち、偏光板を通過して直線偏光となった光は液晶層によって、偏光状態が変化する。具体的には、バックライトユニットからの光は、ＴＦＴアレイ基板４０側の偏光板によって直線偏光になる。この直線偏光が液晶層を通過することによって、偏光状態が変化する。
【００２５】
偏光状態によって、対向基板１０側の偏光板を通過する光量は変化する。即ち、バックライトユニットから液晶表示パネル１００を透過する透過光のうち、視認側の偏光板を通過する光の光量が変化する。液晶３０の配向方向は、印加される表示電圧によって変化する。従って、表示電圧を制御することによって、視認側の偏光板を通過する光量を変化させることができる。即ち、画素ごとに表示電圧を変えることによって、所望の画像を表示することができる。
【００２６】
続いて、本実施の形態１に係るヒーター電極１５について、詳細に説明する。ヒーター電極１５は、図１に示すように、並列に配列されている複数の並列部１５ａと、この並列部１５ａの両端に設けられた２つの収束部１５ｂとを備えている。並列部１５ａと収束部１５ｂとは同じ透明導電膜によって形成されている。
【００２７】
複数の並列部１５ａは、同じ形状を有しており、所定の方向に沿って延在している。複数の並列部１５ａは、表示領域５１内において、一定の間隔で平行に設けられている。ここでは、例えば、帯状の並列部１５ａが、矩形状の表示領域５１の長手方向に沿って形成されている。並列部１５ａがこのように配設されることにより、単位面積当たりに配設されるヒーター電極１５の密度が、表示領域５１内で均等となる。従って、例えば、１つの画素に占めるヒーター電極１５の割合が、表示領域５１内のそれぞれの画素で同じとなる。
【００２８】
一方、収束部１５ｂは、表示領域５１の端部近傍で、複数の並列部１５ａの一方の端部と他方の端部とをそれぞれ収束するように形成されている。すなわち、２つの収束部１５ｂによって並列部１５ａの両端が収束される。隣接する並列部１５ａは、収束部１５ｂにより連結される。２つの収束部１５ｂは、同じ形状を有し、並列部１５ａの延在する方向と交差する方向に沿って延在している。収束部１５ｂは、額縁領域５２に設けられていることが好ましい。ここでは、例えば、並列部１５ａより太い帯状の収束部１５ｂが、矩形状の表示領域５１の短手方向に沿って形成されている。収束部１５ｂの幅を並列部１５ａより太くすることによって、収束部１５ｂを低抵抗とすることができる。
【００２９】
このように並列部１５ａと収束部１５ｂとが設けられたヒーター電極１５は、あたかも、表示領域５１を内包する矩形状のヒーター電極１５に、同じスリット状の開口部１５ｘが、一定の間隔で複数配設されたような構成となる。並列部１５ａと収束部１５ｂとは同じ導電膜で一体的に形成されている。
【００３０】
なお、並列部１５ａは、図１の平面図中においては表示領域５１内において疎らに本数を簡略化して図示しているが、実際には、図２の断面図にも示される様に、各画素間のＢＭ１２に対応する位置に配置される。このことから、ゲート配線の本数に対応した本数の並列部１５ａが表示領域５１の長手方向に沿って配置され、各並列部１５ａ間に形成されるスリット状の開口部１５ｘの位置は各画素のＢＭ１２の開口部に対応して配置されている。
【００３１】
そして、額縁領域５２には、ヒーター電極１５に接続され電力を供給するための入力点或いは出力点となるヒーター電極用トランスファ部が設けられている。ヒーター電極用トランスファ部は、例えばシール材よりも外側の領域に配設される。ヒーター用トランスファ部では、図２に示すように、ヒーター電極１５上のＢＭ１２と着色層１３と対向電極１６とが除去されており、ヒーター電極１５が露出している。この露出したヒーター電極１５上にヒーター電極用導電層３５が形成されている。
【００３２】
ヒーター電極用導電層３５は、ＴＦＴアレイ基板４０上に形成された図示しないヒーター配線に接続する。ヒーター配線は、ヒーター電極１５を外部定電流源と電気的に接続するために設けられた配線である。ヒーター配線は、額縁領域５２に形成されており、ＴＦＴアレイ基板４０の端部に設けられた図示しない入力端子に接続されている。すなわち、ヒーター電極用導電層３５は、対向基板１０側に設けられたヒーター電極１５と、ＴＦＴアレイ基板４０側に設けられたヒーター配線とに接続するよう形成されている。ヒーター電極１５が、ヒーター電極用導電層３５を介して、ヒーター配線と電気的に接続されている箇所がヒーター電極用トランスファ部となる。この入力端子、ヒーター配線、及びヒーター電極用導電層３５を介して、外部からＴＦＴアレイ基板４０へ供給された電流がヒーター電極１５に伝達される。ヒーター電極１５に電流を流すことにより発生するジュール熱を利用して、液晶３０の温度調整を行うことができる。
【００３３】
ヒーター電極用トランスファ部は、矩形状の表示領域５１の互いに対角となる角部近傍に設けられている。従って、表示領域５１を挟むように２つのヒーター電極用トランスファ部が形成されている。ヒーター電極用トランスファ部は、収束部１５ｂの端部近傍に設けられている。図１では、左側の収束部１５ｂの下側の端部近傍と、右側の収束部１５ｂの上側の端部近傍とにヒーター電極用トランスファ部が形成されている。例えば、図１に示す液晶表示パネル１００の左下角部近傍と右上角部近傍のように、収束部１５ｂの端部が、上面視で対向電極１６からはみ出るように形成されていて、そのはみ出た部分にヒーター電極用トランスファ部が設けられている。
【００３４】
このように構成された液晶表示パネル１００では、一方のヒーター電極用トランスファ部を入力、他方のヒーター電極用トランスファ部を出力としてヒーター電極１５に電流を流すと、必ずいずれかの並列部１５ａを経由して電流が流れることになる。そして、いずれの並列部１５ａを経由する場合でも、入力側ヒーター電極用トランスファ部から出力側ヒーター電極用トランスファ部までの電流経路の長さは同じとなる。これは、どの並列部１５ａを経由するかに関わらず、入力側ヒーター電極用トランスファ部から並列部１５ａまでと、この並列部１５ａから出力側ヒーター電極用トランスファ部までとを足し合わせた電流経路の長さは、１つ分の収束部１５ｂの長さと略等しくなるからである。従って、一方のヒーター電極用トランスファ部から他方のヒーター電極用トランスファ部までの電流経路における電気抵抗値は、いずれの並列部１５ａを経由しても同じ値となる。
【００３５】
その結果、本実施の形態１では、表示領域５１内において、特許文献１のように電流が局所的に集中して流れることなく、どの並列部１５ａにも満遍なく電流が流れる。そのため、表示領域５１内を均一に加熱することができる。すなわち、ヒーターによる加熱に面内分布が発生することを抑止できる。このように、本実施の形態１のヒーター電極１５は、互いに対角となる位置に設けられたヒーター電極用トランスファ部の一方から他方までの電気抵抗が表示領域５１内のどの点を経由しても同じ値となるようにパターニング形成され、かつ、表示領域５１内において均等に配置されている。
【００３６】
図３は、本実施の形態１に係るヒーター電極１５の電気抵抗値について説明するための図である。例えば、１５型ＸＧＡ（１０２４（×３ＲＧＢ）×７６８ドット）の液晶表示装置において、比抵抗２００μΩ・ｃｍ、膜厚１０００ÅのＩＴＯをヒーター電極１５として用いた場合について以下に検討する。
【００３７】
それぞれの並列部１５ａが、矩形状の表示領域５１の長手方向に沿って、線幅２０μｍ、長さ３０ｃｍの帯状に形成されているとすると、並列部１５ａの１本当たりの配線抵抗は２３ｋΩになる。この並列部１５ａをＸＧＡの解像度で７６８本配置する場合、その合成抵抗は、図３に示すように３０Ωになる。
【００３８】
また、収束部１５ｂが、矩形状の表示領域５１の短手方向に沿って、線幅１ｃｍ、長さ２０ｃｍの帯状に形成されているとすると、この収束部１５ｂの１本当たりの配線抵抗は２０Ωになる。よって、対角に配置された２つのヒーター電極用トランスファ部間のヒーター電極１５の合成抵抗値は５０Ωとなる。
【００３９】
このヒーター電極１５に１２Ｖの直流電圧を印加すると、電力３Ｗの発熱体となる。そして、表示領域５１全体で２Ｗのヒーターとして液晶３０を加熱することができる。前述したように、一方のヒーター電極用トランスファ部から他方のヒーター電極用トランスファ部までの電流経路の抵抗値は、いずれの並列部１５ａを経由しても同じ値となるので、この２Ｗのヒーターで面内を均一に加熱することができる。
【００４０】
なお、並列部１５ａは、２０μｍ幅と、画素サイズ約１００×３００μｍに対して十分細いので、ゲート配線周辺の光モレを遮光する部分のＢＭ１２と重なる位置に配置することが可能である。これにより、バックライトからの光量を低下させないよう、液晶表示パネル１００の透過率低下を防止できる。このように、ヒーター電極１５は、少なくとも並列部１５ａがＢＭ１２と重複するように形成されていることが好ましい。
【００４１】
また、額縁領域５２には、対向電極１６に電力を供給するための対向電極用トランスファ部が設けられている。対向電極用トランスファ部は、ヒーター電極用トランスファ部と同様、例えばシール材よりも外側の領域に配設される。対向電極１６は、この対向電極用トランスファ部でＴＦＴアレイ基板４０側の共通電位（コモン電位）Ｖｃｏｍに接続される。
【００４２】
対向電極用トランスファ部では、図２に示すように、対向電極１６の下のＢＭ１２とヒーター電極１５とが除去されている。すなわち、ヒーター電極１５と対向電極１６との間に設けられたＢＭ１２と着色層１３とを含む絶縁層には、対向電極１６下の少なくとも一部が除去されている。そして、対向電極１６が、絶縁層上から絶縁層の除去部まで延在されている。ヒーター電極１５は、対向電極１６と導通しないよう、そのパターン端部が絶縁層のパターン端部より内側に位置するように形成されている。従って、対向電極用トランスファ部における対向電極１６は、ヒーター電極用トランスファ部におけるヒーター電極１５と同様、基板１１上に直接積層された構成となる。この対向電極１６上に、対向電極用導電層３６が形成されている。
【００４３】
対向電極用導電層３６は、ＴＦＴアレイ基板４０上に形成された図示しないコモン電位転送配線に接続する。コモン電位転送配線は、対向電極１６を制御回路と電気的に接続するために設けられた配線であり、額縁領域５２に形成されている。すなわち、対向電極用導電層３６は、対向基板１０側に設けられた対向電極１６と、ＴＦＴアレイ基板４０側に設けられたコモン電位転送配線とに接続するよう形成されている。対向電極１６が、コモン電位転送配線と、対向電極用導電層３６を介して電気的に接続されている箇所が対向電極用トランスファ部となる。このコモン電位転送配線及び対向電極用導電層３６を介して、制御回路から供給された共通電位Ｖｃｏｍが対向電極１６に伝達される。
【００４４】
対向電極用トランスファ部は、矩形状の表示領域５１の角部近傍に設けられている。ここでは、対向電極用トランスファ部が矩形状の対向電極１６のそれぞれの角部近傍に形成されている。例えば、図１及び図２に示す液晶表示パネル１００の角部近傍のように、矩形状の対向電極１６の角部が、上面視でヒーター電極１５とＢＭ１２の端部からはみ出るように突出して形成されていて、そのはみ出た部分に対向電極用トランスファ部が設けられている。
【００４５】
このように、対向電極用トランスファ部では、対向電極１６が、ヒーター電極用トランスファ部のヒーター電極１５と同様、基板１１の上に直接形成された構成となっている。そのため、対向電極用トランスファ部における対向電極１６とコモン電位転送配線との間の距離は、ヒーター電極用トランスファ部におけるヒーター電極１５とヒーター配線との間の距離とほぼ同じとなる。すなわち、形成されるヒーター電極用導電層３５と対向電極用導電層３６とは略同じ厚さとなるため、同じ導電材料によって形成することができる。例えば、アクリル粒子の表面に金などのコーティングされた導電粒子などを混入した樹脂を含む導電材料を用いる場合、ヒーター電極用導電層３５と対向電極用導電層３６の両方に、同じ径の導電粒子を使用することが可能である。
【００４６】
以上のように、本実施の形態１では、ヒーター電極１５は、一定の間隔で平行に配置された同じ形状を有する複数の並列部１５ａと、並列部１５ａの両端に設けられた２つの収束部１５ｂとを備えている。すなわち、互いに対角となる位置に設けられたヒーター電極用トランスファ部の一方から他方までの電気抵抗が表示領域５１内のどの点を経由しても同じ値となり、かつ、表示領域５１内に均等に配設されるようパターニング形成されているヒーター電極１５を用いて、液晶３０を加熱する。これにより、表示領域５１内を均一に加熱することができ、低温環境下において良好な表示を行うことができる。よって、処理効率の向上を実現でき、処理時間の削減によるエネルギー消費の削減につながる。
【００４７】
また、本実施の形態１では、並列部１５ａと収束部１５ｂとは、一体的に形成されている。すなわち、ヒーター電極１５を表示領域５１の複数の加熱領域に分割して形成することなく、表示領域５１内を均一に加熱することができる。これにより、ヒーター配線をそれぞれの加熱領域に対応して複数設けたり、加熱領域毎に電力供給の電位を制御したりする必要がなく、構造が複雑となることを防止できる。さらに、並列部１５ａと収束部１５ｂとが同じ導電膜によって形成されているため、製造プロセスが複雑となることを抑止できるとともに、ヒーター電極１５として用いる材料の種類も１種で良いことから原材料の減量化にもつながる。
【００４８】
これらのことから、本実施の形態１によれば、より簡便な構成で、全体を均一な温度に制御することが可能な液晶表示装置を提供することができる。
【００４９】
実施の形態２．
本実施の形態２に係る液晶表示装置について、図４及び図５を用いて説明する。図４は、実施の形態２に係る液晶表示装置に用いられる液晶表示パネル２００の構成を概略的に示す平面図である。図５は、図４のV−V断面図である。実施の形態１では、透明導電膜を用いてヒーター電極１５を形成したが、本実施の形態２は、本発明にかかるヒーター電極をＢＭ１２に適用したものである。なお、図５では、図２と同様、左側に、ヒーター電極用トランスファ部を含む端部の断面、中央に、表示領域内の画素部の断面、右側に、対向電極用トランスファ部を含む端部の断面がそれぞれ示されている。
【００５０】
図４及び図５において、本実施の形態２に係る液晶表示装置は、液晶表示パネル２００を備えている。液晶表示パネル２００は、実施の形態１と同様、ＴＦＴアレイ基板４０と対向基板１０とをシール材により貼り合わせ、その内部に液晶３０を封入するよう構成されている。本実施の形態２は、対向基板１０の構成が実施の形態１と異なっていて、それ以外の構成については実施の形態１と同様であるため説明を省略する。
【００５１】
対向基板１０は、基板１１のＴＦＴアレイ基板４０と対向する面上に、ＢＭ１２が形成されている。このＢＭ１２は、実施の形態１と異なり、ＣｒやＡｌ等の金属膜によって形成されており、導電性を有する。ＢＭ１２は、実施の形態１のヒーター電極１５と同様、並列に配列されている複数の並列部１２ａと、この並列部１２ａの両端に設けられた２つの収束部１２ｂとを備えている。
【００５２】
複数の並列部１２ａは、同じ形状を有しており、所定の方向に沿って延在している。複数の並列部１２ａは、表示領域５１内において、一定の間隔で平行に設けられている。この並列部１２ａは、ゲート配線とソース配線のいずれか一方と、画素電極との間から漏れる光を遮光するように配置されている。ここでは、例えば、帯状の並列部１２ａが、矩形状の表示領域５１の長手方向に沿って、ゲート配線と画素電極の間から漏れる光を遮光するよう形成されている。なお、並列部１２ａの形状は、複数の並列部が同じ形状を有していれば、帯状のものに限定されるものではない。並列部１２ａがこのように配設されることにより、単位面積当たりに配設されるＢＭ１２の密度が、表示領域５１内で均等となる。従って、例えば、１つの画素に占めるＢＭ１２の割合が、表示領域５１内のそれぞれの画素で同じとなる。
【００５３】
一方、収束部１２ｂは、表示領域５１の端部近傍で、複数の並列部１２ａの一方の端部と他方の端部とをそれぞれ収束するように形成されている。すなわち、２つの収束部１２ｂによって並列部１２ａの両端が収束される。隣接する並列部１２ａは、収束部１２ｂにより連結される。２つの収束部１２ｂは、同じ形状を有し、並列部１２ａの延在する方向と交差する方向に沿って延在している。収束部１２ｂは、額縁領域５２に設けられていることが好ましい。また、収束部１２ｂは、並列部１２ａより幅広に形成されていて、額縁領域５２におけるバックライトからの光を遮光する役割も担っていることが好ましい。収束部１２ｂの線幅を並列部１２ａより太くすることによって、収束部１５ｂを低抵抗とすることができる。ここでは、例えば、帯状の収束部１２ｂが、矩形状の表示領域５１の短手方向に沿って形成されている。よって、図４に示す表示領域５１の右側と左側の額縁領域５２が収束部１２ｂによって遮光される。
【００５４】
また、ＢＭ１２は、並列部１２ａと平行に設けられた、並列部１２ａよりも幅広の周辺額縁部１２ｃをさらに備えていてもよい。周辺額縁部１２ｃは、額縁領域５２のうち、複数の並列部１２ａの両外側に形成されている。従って、複数の並列部１２ａは、２つの周辺額縁部１２ｃの一方と他方との間に挟まれる。この周辺額縁部１２ｃにより、額縁領域５２におけるバックライトからの光を遮光することができる。ここでは、図４に示す表示領域５１の上側と下側の額縁領域５２が周辺額縁部１２ｃによって遮光される。周辺額縁部１２ｃの幅を並列部１２ａより太くすることによって、周辺額縁部１２ｃを低抵抗とすることができる。
【００５５】
なお、周辺額縁部１２ｃは、収束部１２ｂと連結されていてもよいが、少なくとも一方の端部が収束部１２ｂと離間されるよう、収束部１２ｂとの間にスリット１２ｙが形成されている。このスリット１２ｙは、最も外側に配置された並列部１２ａよりもさらに外側に形成される。
【００５６】
このように並列部１２ａと収束部１２ｂと周辺額縁部１２ｃとが設けられたＢＭ１２は、あたかも、表示領域５１を内包する略矩形状ＢＭ１２に、同じスリット状の開口部１２ｘが、一定の間隔で複数配設されたような構成となる。そして、最も外側に配置された開口部１２ｘにそれぞれ繋がるよう、少なくとも２つのスリット１２ｙが形成されている。並列部１２ａと収束部１２ｂと周辺額縁部１２ｃとは同じ金属膜によって一体的に形成されている。
【００５７】
ＢＭ１２上には、着色層１３が形成されている。本実施の形態２では、並列部１２ａの延在する方向にならぶＲＧＢの着色層１３は、図５に示すように、互いの端部が重なるように形成されている。この着色層１３の重なり部分で、ゲート配線とソース配線の他方と、画素電極との間から漏れる光を遮光することができる。ここでは、例えば、ソース配線と画素電極の間から漏れる光を遮光するよう、ストライプ状の着色層１３が、矩形状の表示領域５１の短手方向に沿って形成され、隣接する着色層１３の端部同士がオーバーラップされている。よって、着色層１３の重なり部分がソース配線の対面に配置される。なお、着色層１３の重なり部分は、隣接する２つの着色層１３を重ねる構成に限るものではなく、３つの着色層１３を重ねて構成してもよい。すなわち、２つ以上の着色層１３が積層されていればよい。
【００５８】
また、本実施の形態２では、同様に、２つ以上の着色層１３がスリット１２ｙを埋めるように積層形成されている。これにより、スリット１２ｙの部分で光り抜けが発生することを防止できる。すなわち、スリット１２ｙ内では、この着色層１３の重なり部分で、バックライトからの光を遮光することができる。なお、着色層１３で覆われない部分のＢＭ１２上には、有機膜、無機酸化膜、窒化膜などの絶縁膜１４が形成されている。絶縁膜１４は、ＲＧＢ３色のうちの１色以上の着色層１３であってもよい。
【００５９】
着色層１３及び絶縁膜１４を覆うように、ＩＴＯなどの透明導電膜からなる対向電極１６が形成されている。対向電極１６は、表示領域５１の全域に亘って設けられ、画素電極と対向配置されている。例えば、上面視で表示領域５１を内包するように、矩形状の対向電極１６が形成されている。対向電極１６は、ＢＭ１２上に、着色層１３と絶縁膜１４とを含む絶縁層を挟んで配設されているので、ＢＭ１２と電気的に絶縁される。なお、対向基板１０の表面には、所定の方向に配向された配向膜が形成されている。
【００６０】
ここで、額縁領域５２には、ヒーター電極用トランスファ部と対向電極用トランスファ部とが設けられている。ヒーター電極用トランスファ部では、ＢＭ１２上の着色層１３と絶縁膜１４と対向電極１６とが除去されており、ヒーター電極用導電層３５が、対向基板１０側に設けられたＢＭ１２と、ＴＦＴアレイ基板４０側に設けられたヒーター配線とに接続するよう形成されている。このヒーター配線及びヒーター電極用導電層３５を介して、外部から供給された電流がＢＭ１２に伝達される。ＢＭ１２に電流を流すことにより発生するジュール熱を利用して、液晶３０の温度調整を行うことができる。
【００６１】
ヒーター電極用トランスファ部は、矩形状の表示領域５１の互いに対角となる角部近傍に設けられている。従って、表示領域５１を挟むように２つのヒーター電極用トランスファ部が形成されている。ヒーター電極用トランスファ部は、収束部１２ｂの端部近傍に設けられている。図４では、左側の収束部１２ｂの下側の端部近傍と、右側の収束部１２ｂの上側の端部近傍とにヒーター電極用トランスファ部が形成されている。例えば、図４に示す液晶表示パネル２００の左下角部近傍と右上角部近傍のように、収束部１２ｂの端部が、上面視で対向電極１６からはみ出るように形成されていて、そのはみ出た部分にヒーター電極用トランスファ部が設けられている。
【００６２】
一方、対向電極用トランスファ部では、対向電極１６の下の絶縁膜１４と着色層１３とＢＭ１２とが除去されている。すなわち、ＢＭ１２と対向電極１６との間に設けられた着色層１３と絶縁膜１４とを含む絶縁層には、対向電極１６下の少なくとも一部が除去されている。そして、対向電極１６が、絶縁層上から絶縁層の除去部まで延在されている。ＢＭ１２は、対向電極１６と導通しないよう、そのパターン端部が絶縁層のパターン端部より内側に位置するように形成されている。従って、対向電極用トランスファ部における対向電極１６は、ヒーター電極用トランスファ部におけるＢＭ１２と同様、基板１１上に直接積層された構成となる。この対向電極１６上に、対向電極用導電層３６が形成されている。
【００６３】
対向電極用導電層３６は、対向基板１０側に設けられた対向電極１６と、ＴＦＴアレイ基板４０側に設けられたコモン電位転送配線とに接続するよう形成されている。このコモン電位転送配線及び対向電極用導電層３６を介して、制御回路から供給された共通電位Ｖｃｏｍが対向電極１６に伝達される。
【００６４】
対向電極用トランスファ部は、実施の形態１と同様、矩形状の表示領域５１の角部近傍に設けられている。ここでは、対向電極用トランスファ部が矩形状の対向電極１６の右上角部近傍と左下角部近傍とに形成されている。例えば、図４に示す液晶表示パネル２００の角部近傍のように、矩形状の対向電極１６の角部が、上面視でヒーター電極１５とＢＭ１２の端部からはみ出るように形成されていて、そのはみ出た部分に対向電極用トランスファ部が設けられている。
【００６５】
対向電極用トランスファ部では、対向電極１６が、ヒーター電極用トランスファ部のＢＭ１２と同様、基板１１の上に直接形成された構成となっている。すなわち、実施の形態１と同様、形成されるヒーター電極用導電層３５と対向電極用導電層３６とは略同じ厚さとなるため、同じ導電材料によって形成することができる。
【００６６】
このように構成された液晶表示パネル２００では、一方のヒーター電極用トランスファ部を入力、他方のヒーター電極用トランスファ部を出力としてＢＭ１２に電流を流すと、必ずいずれかの並列部１２ａを経由して電流が流れることになる。そして、一方のヒーター電極用トランスファ部から他方のヒーター電極用トランスファ部までの電流経路における電気抵抗値は、いずれの並列部１２ａを経由しても同じ値となる。スリット１２ｙが形成されていることにより、並列部１２ａを経由せずに、収束部１２ｂと周辺額縁部１２ｃとを経由して、ヒーター電極用トランスファ部の一方から他方まで電流が流れることを防止できる。これにより、実施の形態１と同様、表示領域５１内を均一に加熱することができる。すなわち、ヒーターによる加熱に面内分布が発生することを抑止できる。このように、本実施の形態２のＢＭ１２は、互いに対角となる位置に設けられたヒーター電極用トランスファ部の一方から他方までの電気抵抗が表示領域５１内のどの点を経由しても同じ値となるようにパターニング形成され、かつ、表示領域５１内において均等に配置されている。
【００６７】
例えば、１５型ＸＧＡ（１０２４（×３ＲＧＢ）×７６８ドット）の液晶表示装置において、比抵抗４μΩ・ｃｍ、膜厚２０００ÅのＣｒをＢＭ１２として用いた場合について以下に検討する。
【００６８】
それぞれの並列部１２ａが、矩形状の表示領域５１の長手方向に沿って、線幅２０μｍ、長さ３０ｃｍの帯状に形成されているとすると、並列部１２ａの１本当たりの配線抵抗は３．２ｋΩになる。この並列部１２ａをＸＧＡの解像度で７６８本配置する場合、その合成抵抗は、４．９Ωになる。
【００６９】
また、収束部１２ｂが、矩形状の表示領域５１の短手方向に沿って、線幅３ｃｍ、長さ２０ｃｍの帯状に形成されているとすると、この収束部１２ｂの１本当たりの配線抵抗は１．６Ωになる。よって、対角に配置された２つのヒーター電極用トランスファ部間のＢＭ１２の合成抵抗値は６．５Ωとなる。
【００７０】
このＢＭ１２に１２Ｖの直流電圧を印加すると、電力２２Ｗの発熱体となる。そして、表示領域５１全体で１６．５Ｗのヒーターとして液晶３０を加熱することができる。前述したように、一方のヒーター電極用トランスファ部から他方のヒーター電極用トランスファ部までの電流経路の抵抗値は、いずれの並列部１２ａを経由しても同じ値となるので、この１６．５Ｗのヒーターで面内を均一に加熱することができる。
【００７１】
以上のように、本実施の形態２では、ＢＭ１２が、光を遮光する遮光膜としての機能に加え、ヒーター電極としての機能を備えている。そして、ＢＭ１２は、一定の間隔で平行に配置された同じ形状を有する複数の並列部１２ａと、並列部１２ａの両端に設けられた２つの収束部１２ｂとを備えている。すなわち、互いに対角となる位置に設けられたヒーター電極用トランスファ部の一方から他方までの電気抵抗が表示領域５１内のどの点を経由しても同じ値となり、かつ、表示領域５１内に均等に配設されるようパターニング形成されているＢＭ１２を用いて、液晶３０を加熱する。これにより、ヒーター電極を別途形成することなく、液晶３０の温度調整ができる。従って、ヒーター電極専用の導電層の形成を省くことができ、実施の形態１よりも生産性が向上する。また、実施の形態１と同様の効果を奏することができる。
【００７２】
なお、上記では、対向基板１０側に設けられた２色以上の着色層１３でスリット１２ｙの部分を遮光する構成について説明を行ったが、この構成に限定されるものではない。図６は、実施の形態２の別の実施例に係る液晶表示パネルの構成を概略的に示す断面図である。図６は、図４のVI−VI断面を示している。図６に示すように、ＴＦＴアレイ基板４０側のスリット１２ｙと対向する領域に、遮光性を有する遮光性膜４２を配置して、この遮光性膜４２でスリット１２ｙの部分を遮光してもよい。
【００７３】
実施の形態３．
本実施の形態３に係る液晶表示装置について、図７を用いて説明する。図７は、実施の形態３に係る液晶表示装置に用いられる液晶表示パネル３００の構成を概略的に示す平面図である。本実施の形態３は、ＢＭ１２の形状が実施の形態２と異なっていて、それ以外の構成については実施の形態２と同様であるため説明を省略する。
【００７４】
本実施の形態３のＢＭ１２は、図７に示すように、スリット１２ｙを設けない構成としてもよい。この場合、実施の形態２の周辺額縁部１２ｃに代えて、表示領域５１内と同じ並列部１２ａを額縁領域５２にも複数並列して配置する。このとき、額縁領域５２では、並列部１２ａを表示領域５１内よりも狭い間隔で配設する。そして、これら全ての並列部１２ａの一方の端部と他方の端部とをそれぞれ収束するように収束部１２ｂが形成されている。
【００７５】
並列部１２ａと収束部１２ｂとがこのように設けられたＢＭ１２は、あたかも、表示領域５１を内包する矩形状のＢＭ１２に、同じスリット状の開口部１２ｘが、一定の間隔で複数配設され、さらにその外側に開口部１２ｘより狭いスリット状の開口部１２ｚが配設されたような構成となる。なお、図７では、複数の開口部１２ｘの外側にそれぞれ１つずつの開口部１２ｚが配設された場合について概略的に図示しているが、複数配置してよい。また、複数の開口部１２ｚの幅は、それぞれ異なる幅で形成されていてもよいし、同じ幅で形成されていてもよい。
【００７６】
開口部１２ｚの部分は、実施の形態２のスリット１２ｙの部分と同様に、対向基板１０側の着色層１３やＴＦＴアレイ基板４０側の遮光性膜４２を用いて遮光することができる。それ以外の構成は実施の形態２と同様である。
【００７７】
このような形状のＢＭ１２を用いた液晶表示パネル３００では、一方のヒーター電極用トランスファ部を入力、他方のヒーター電極用トランスファ部を出力としてＢＭ１２に電流を流すと、必ずいずれかの並列部１２ａを経由して電流が流れることになる。そして、一方のヒーター電極用トランスファ部から他方のヒーター電極用トランスファ部までの電流経路における電気抵抗値は、いずれの並列部１２ａを経由しても同じ値となる。これにより、実施の形態１、２と同様、表示領域５１内を均一に加熱することができる。すなわち、ヒーターによる加熱に面内分布が発生することを抑止できる。このように、本実施の形態３のＢＭ１２も、互いに対角となる位置に設けられたヒーター電極用トランスファ部の一方から他方までの電気抵抗が表示領域５１内のどの点を経由しても同じ値となるようにパターニング形成され、かつ、表示領域５１内において均等に配置されている。
【００７８】
以上のように、本実施の形態３では、並列部１２ａを表示領域のものよりも狭い間隔で額縁領域５２にも設けることで、スリット１２ｙの形成を省略できる。また、実施の形態１，２と同様の効果を奏することができる。
【００７９】
なお、本発明は上記実施の形態に限られたものではなく、趣旨を逸脱しない範囲で適宜変更することが可能である。例えば、実施の形態１では、絶縁層がＢＭ１２と着色層１３を含むとして例示的に説明したが、さらにこれらを覆うオーバーコート膜等を含んでいてもよい。また、実施の形態１では、ヒーター電極１５を対向基板１０側に形成したが、必ずしも対向基板１０側でなくてもよい。要するに、ヒーター電極１５が、表示領域５１を挟んで互いに対角となる位置に設けられたヒーター電流の入力点から出力点までの電気抵抗が表示領域５１内のどの点を経由しても同じ値となるようにパターニング形成され、かつ、表示領域５１内において均等に配置されていれば、ＴＦＴアレイ基板４０側に設けることも可能である。この様にヒーター電極１５をＴＦＴアレイ基板４０側に設ける場合には、ＴＦＴアレイ基板４０の入力端子及びヒーター配線を介してヒーター電極１５に電力を供給するために接続される入力点或いは出力点は、ヒーター電極用導電層３５を用いたヒーター電極用トランスファ部に代わり、直接接続、コンタクトホールを介した接続、或いは別途配線を介した接続などを適宜用いれば良い。これは、ヒーター配線とヒーター電極１５が何れも同じＴＦＴアレイ基板４０上に位置するので、ヒーター電流の入力点及び出力点において基板間を導通する必要が無いためである。
【００８０】
また、実施の形態２、３では、ゲート配線とソース配線の一方が並列部１２ａと対向配置され、他方が着色層１３の重なり部と対向配置される場合について説明を行ったが、これに限るものではない。例えば、ゲート配線とソース配線の他方と対向配置されるように絶縁性の樹脂ＢＭを形成してもよい。これにより、ゲート配線とソース配線の他方の周辺は樹脂ＢＭによって遮光されるので、表示品位を向上できる。
【符号の説明】
【００８１】
１０  対向基板、１１  基板、１２  ＢＭ、
１２ａ  並列部、１２ｂ  収束部、１２ｃ  周辺額縁部、
１２ｘ  開口部、１２ｙ  スリット、１２ｚ  開口部、
１３  着色層、１４  絶縁膜、１５  ヒーター電極、
１５ａ  並列部、１５ｂ  収束部、１５ｘ  開口部、
１６  対向電極、
３５  ヒーター電極用導電層、３６  対向電極用導電層、
４０  ＴＦＴアレイ基板、４２  遮光性膜、
５１  表示領域、５２  額縁領域、
１００、２００、３００  液晶表示パネル
【図１】
2010281961.tif 000003
【図２】
2010281961.tif 000004
【図３】
2010281961.tif 000005
【図４】
2010281961.tif 000006
【図５】
2010281961.tif 000007
【図６】
2010281961.tif 000008
【図７】
2010281961.tif 000009